(57)【要約】  ポータブル形態と水処理システム形態との間で選択的に構成可能なポータブル水処理システム。ポータブル水処理システムは、ポータブル形態と水処理システム形態との間で選択的に構成可能なスナップ嵌め蓋を備えた複数の入れ子及び積み重ね容器を含む。凝集容器は、手動弁と、水の流れを制御する流れ制限部と、を含む。フィルタシステムは、１つ以上のバイオフォームフィルタを含み得る。水処理システムは、分配される前に水から塩素を除去するカーボンフィルタを備えた貯蔵容器を含み得る。【選択図】図１Ａ
2018519150.tif 000002
【特許請求の範囲】
【請求項１】
水処理システムにおいて、
水を受け入れる凝集容器入口、及び水を分配する凝集容器出口を有し、フロックが凝集後に沈降する底面を有する凝集容器と、
前記凝集容器に取り付けられ、水からフロック及び粒子をろ過し、フィルタ入口及びフィルタ出口を有するフィルタと、
前記凝集容器を通る水の流れを選択的に制御する弁を有する手動弁アセンブリであって、前記弁が、開弁位置と閉弁位置との間を手動により移動可能であり、前記フィルタ出口と前記弁が、前記弁から前記凝集容器出口への水流路を形成するように、前記開弁位置において流体連通しており、前記フィルタ出口と前記弁が、前記手動弁アセンブリから前記凝集容器出口への水流路を妨げるように、前記閉弁位置において流体連通していない前記手動弁アセンブリと、
を備え、
前記水処理システムは、前記凝集容器出口を通る水の流速を制限する流れ制限口を有する
前記水処理システム。
【請求項２】
前記凝集容器出口が、最大１Ｌ／分の流速に水の流れを制限するように、前記流れ制限口を画定する、請求項１に記載の水処理システム。
【請求項３】
前記凝集容器内の前記フィルタ入口の位置が、所定量の凝集剤を含む水を満たした容器における沈降物の予想最大量に基づいて選択される、請求項１に記載の水処理システム。
【請求項４】
前記凝集容器内の前記フィルタ入口の位置が、蓄積された沈降物の除去を含む清浄サイクル間の凝集バッチの予想数に基づいて選択される、請求項１に記載の水処理システム。
【請求項５】
凝集状態視覚インジケータが、前記フィルタ入口に隣接して配置され、前記凝集容器の内部を見るユーザによる前記凝集状態視覚インジケータの視認性が、凝集時にフロックによって妨げられ、前記凝集状態視覚インジケータは、いったん凝集が実質的に完了し、フロックが前記フィルタ入口の下にある前記凝集容器の前記底面に沈降したときに、前記凝集容器を見るユーザによって視認可能である、請求項３に記載の水処理システム。
【請求項６】
前記手動弁アセンブリは、フィルタ支持体と連動する垂直方向可動部材を有し、ガスケットが、前記垂直方向可動部材の周囲に配置され、前記フィルタ支持体の口部に隣接して配置されて、前記開弁位置において、前記口部と前記フィルタ支持体の流れ制限口とが位置を合わせられ、前記閉弁位置において、前記ガスケットが、前記垂直方向可動部材の外面と前記フィルタ支持体の内面との間の水流路を封止する、請求項１に記載の水処理システム。
【請求項７】
前記手動弁アセンブリは回転軸を有し、該回転軸が、前記弁を前記開弁位置と前記閉弁位置との間で変化させるように回転可能である、請求項１に記載の水処理システム。
【請求項８】
前記凝集容器出口の径が約０．１６１インチ（４.０９ｍｍ）である、請求項１に記載の水処理システム。
【請求項９】
前記弁がボール弁アセンブリである、請求項１に記載の水処理システム。
【請求項１０】
前記弁は、ＥＰＤＭプラグを有する可動ロッドを有し、該可動ロッドが、前記ＥＰＤＭプラグが表面と接続して前記出口を通る水路を封止する第１の位置と、前記ＥＰＤＭプラグが前記表面から外れて前記凝集容器出口を通る水路を形成する第２の位置との間を移動可能である、請求項１に記載の水処理システム。
【請求項１１】
水処理システムにおいて、
容器であって、該容器内に水を受け入れる容器入口、及び前記容器から水を分配する容器出口を有する前記容器と、
前記容器出口と水が連通するように前記容器に取り付けられたフィルタ支持体アセンブリであって、フィルタ支持体入口を有する回転フィルタ支持体を有し、該回転フィルタ支持体が、交換可能なフィルタを受け入れるように構成され、前記フィルタ支持体入口は、前記交換可能なフィルタと水が連通するように構成された前記フィルタ支持体アセンブリと、
を備え、
前記回転フィルタ支持体が、フィルタ動作位置とフィルタメンテナンス位置との間を回転可能である
前記水処理システム。
【請求項１２】
前記フィルタ動作位置にある前記回転フィルタ支持体が、前記容器から前記回転フィルタ支持体アセンブリへの水流路を形成し、フィルタ交換位置にある前記容器と前記容器出口との間を水が連通することを防止する、請求項１１に記載の水処理システム。
【請求項１３】
前記水処理システムが、動作のための最小水位を有し、前記フィルタ動作位置にある前記回転フィルタ支持体は、前記フィルタ支持体入口が前記最小水位を下回るように構成され、前記フィルタメンテナンス位置にある前記回転フィルタ支持体は、前記フィルタ支持体入口が前記最小水位を上回るように構成される、請求項１１に記載の水処理システム。
【請求項１４】
前記フィルタ支持体アセンブリは、生物層のために構成された交換可能なフォームフィルタを有する、請求項１１に記載の水処理システム。
【請求項１５】
前記フィルタ支持体アセンブリは、前記容器に取り付けられた剛性部材を有し、前記回転フィルタ支持体が、前記剛性部材に接続された回転アームである、請求項１１に記載の水処理システム。
【請求項１６】
前記フィルタ支持体アセンブリは、マニホールドと、交換可能なフィルタを受け入れるように構成されたフィルタ支持体をそれぞれ有する複数の回転フィルタ支持体と、を有し、前記回転フィルタ支持体がそれぞれ、フィルタ動作位置とフィルタメンテナンス位置との間を回転するように構成される、請求項１１に記載の水処理システム。
【請求項１７】
水処理システムにおいて、
容器であって、該容器内に水を受け入れる容器入口、及び前記容器から水を分配する容器出口を有する前記容器と、
前記容器出口と水が連通するように前記容器に取り付けられたフィルタ支持体アセンブリであって、交換可能なフィルタを受け入れるように構成されたフィルタ支持体と、前記容器入口からの水による前記交換可能なフィルタの撹乱を防止するシールドと、を有する前記フィルタ支持体アセンブリと、
を備える前記水処理システム。
【請求項１８】
前記フィルタ支持体及び前記シールドが、フィルタ動作位置とフィルタメンテナンス位置との間を回転可能である、請求項１７に記載の水処理システム。
【請求項１９】
前記シールドが円筒状である、請求項１７に記載の水処理システム。
【請求項２０】
前記シールドが実質的にＣ字形であり、前記シールドはスナップ細部と、取り付け穴と、前記シールドを前記容器内及び前記フィルタ支持体に取り付けるタブを有する、請求項１７に記載の水処理システム。
【請求項２１】
前記フィルタ支持体アセンブリはシールド支持体を有し、前記シールドが前記シールド支持体に連結される、請求項１７に記載の水処理システム。
【請求項２２】
塩素処理システムにおいて、
水流路を形成する吸水口と、
前記水流路を制御するように前記水流路に配置された円錐状先端と、
前記水流路から塩素錠剤を保護するカプセルと、
を備え、
前記カプセルが、前記カプセルの少なくとも１つの側壁に沿って配置された複数の水平方向スロットを有することで、水が、前記カプセル内に配置された塩素カプセルと連通することができる
前記塩素処理システム。
【請求項２３】
塩素と水との接触を調節するテフロン（登録商標）スクリーンを有する、請求項２２に記載の塩素処理システム。
【請求項２４】
塩素錠剤が崩壊することを防止する塩素錠剤トラップを有する、請求項２２に記載の塩素処理システム。
【請求項２５】
前記カプセルは、前記水流路に配置された凹状上面を有する、請求項２２に記載の塩素処理システム。
【請求項２６】
水処理システムにおいて、
容器であって、該容器内に水を受け入れる容器入口、及び前記容器から水を分配する容器出口を有する前記容器と、
端部キャップを有するカーボンフィルタアセンブリと、
前記容器に取り付けられたフレームであって、前記カーボンフィルタアセンブリの前記端部キャップを留めるとともに前記カーボンフィルタアセンブリの移動を制限するＵ字形開口部を有する前記フレームと、
を備える前記水処理システム。
【請求項２７】
ポータブル水処理システムにおいて、
ポータブル形態と水処理システム形態との間で選択的に構成可能なスナップ嵌め蓋を備えた複数の入れ子及び積み重ね容器と、
前記ポータブル形態時に前記複数の入れ子及び積み重ね容器のうちの１つ以上に格納可能な複数の水処理システム構成部品と、
を備え、
前記複数の水処理システム構成部品が、前記水処理システム形態時に、前記複数の入れ子及び積み重ね容器のうちの１つ以上に着脱可能に取り付けることができる
前記ポータブル水処理システム。
【請求項２８】
前記複数の入れ子及び積み重ね容器は、前記複数の水処理システム構成部品を取り付ける複数の口部を有する、請求項２７に記載のポータブル水処理システム。
【請求項２９】
前記複数の入れ子及び積み重ね容器は、１つ以上の水処理システム構成部品インターフェイスを有しており、
前記水処理システム構成部品インターフェイスは、前記ポータブル形態時に複数の容器の入れ子になることを妨げない、請求項２７に記載のポータブル水処理システム。
【請求項３０】
前記複数の水処理システム構成部品がそれぞれ、前記１つ以上の水処理システム構成部品インターフェイスに着脱可能に取り付けられる、請求項２９に記載のポータブル水処理システム。
【請求項３１】
凝集方法であって、
水を有した凝集室に第１の凝集剤を加えるステップと、
前記第１の凝集剤と水とを前記凝集室内で混合するステップと、
フロックが形成し始めるのを、所定の遅延時間、待機するステップと、
前記所定の遅延時間の後に、フロックの形成を促進するために第２の凝集剤を水に加えるステップと、
水と前記第１の凝集剤と前記第２の凝集剤とを前記凝集室内で混合するステップと、
フロックが凝集室の底に十分に沈降するのを待機するステップと、
を含む前記凝集方法。
【請求項３２】
前記第１の凝集剤と水とを前記凝集室内で混合するステップは、約１分間混合するステップを含む、請求項３１に記載の凝集方法。
【請求項３３】
前記所定の遅延時間が少なくとも１５秒である、請求項３１に記載の凝集方法。
【請求項３４】
前記所定の遅延時間が１５秒から５分である、請求項３１に記載の凝集方法。
【請求項３５】
前記第１の凝集剤と前記第２の凝集剤と水とを前記凝集室内で混合するステップは、約１分間混合するステップを含む、請求項３１に記載の凝集方法。
【請求項３６】
前記フロックが前記凝集室の底に十分に沈降するのを待機するステップは、１０分から２時間待機するステップを含む、請求項３１に記載の凝集方法。
【請求項３７】
水処理システムにおいて、
未処理水を受け入れる入口、及び塩素処理水を分配する出口を有する第１の容器と、
前記第１の容器から塩素処理水を受け入れる入口を有し、生物群集が発泡体部分上又は該発泡体部分内に形成されるように構成された前記発泡体部分を有するフィルタを有する第２の容器と、
前記第２の容器から、処理された水を分配するディスペンサーと、
を備える前記水処理システム。
【請求項３８】
前記第１の容器から前記第２の容器への水の流れを制御する手動ボール弁アセンブリ
を有する、請求項３７に記載の水処理システム。
【請求項３９】
前記第１の容器から前記第２の容器への水の流れを制御し、ＥＰＤＭプラグを有する可動ロッドを有する手動ボール弁アセンブリを有し、
前記可動ロッドが、前記ＥＰＤＭプラグが表面と接続して前記第１の容器の水槽と前記第２の容器との間の水路を封止する第１の位置と、前記ＥＰＤＭプラグが前記表面から外れて前記第１の容器の水槽と前記第２の容器との間に水路を形成する第２の位置との間を移動可能である、請求項３７に記載の水処理システム。
【請求項４０】
２つの部分からなるフィルタを保護する一体型のＣ字形シールドを有する、請求項３７に記載の水処理システム。
【請求項４１】
前記フィルタは、前記発泡体の周りにカーボンスリーブを有し、該カーボンスリーブが、水から残留塩素を除去して、前記発泡体部分上又は前記発泡体部分内に形成される生物群集の撹乱を防止する、請求項３８に記載の水処理システム。
【発明の詳細な説明】
【技術分野】
【０００１】
本開示は、水処理システムに関する。
【背景技術】
【０００２】
世界の人口が増加するにつれて、水需要も増加している。実際に、局地的な人口が平均よりもはるかに高い割合で増えている世界の一部地域では、安全な飲料水の入手可能性は平均よりも低い。このような状況の一部は、乾燥した気候によるものか、又は単に飲用に適した新鮮な地表水がないかを問わず、地理に起因する可能性がある。加えて、地下帯水層の低下により多くの水源が枯渇しており、その結果、水を供給しようと新しい井戸が更に深く掘削されている。多くの場合、高いコストによって、これらの作業は妨げられている。さらに、水が非常に不足している多くの地域では、低い所得水準、及び地方自治体による処理水が利用できないという事実により、住民は、飲食用の水を購入することができない。このような場所の例としては、途上国の農村部、自然災害後の緊急救済拠点、又はキャンプ設営地などを挙げることができる。
【０００３】
重力供給・水処理システムは、低所得者に対して家庭の飲食用に安全な水を供給することを促進するように、世界中で用いられている。既知の重力供給・水処理システムの一つは、バイオサンド水フィルタ(bio-sand water filter)を用いて水を処理する。これらのシステムは生物層を有しており、これは、水中の望ましくない微生物及び有機物を破壊する自然作用から形成されている。住宅及び小規模な村の環境下で一般に用いられるバイオサンドフィルタは、大型で重い傾向にある。その一部は、１００ポンドもの砂と小石を含んでいる。
【０００４】
バイオサンドろ過においては、長年にわたってある程度進歩してきている。例えば、バイオサンドフィルタの中には、露出した砂層の上部における面速度を制御するように、深さと粒度構成を調整しているものがある。実際に、より深い層に大量の砂及び砂利を置く理由の一つは、砂床を通る面速度が推奨範囲内に維持されるように、背圧を確立し、制御することである。これらの進歩によって、一部の状況下では重力供給システムが更に有効になったが、システムが正常に作動していることを確実にするように、設置時に流速を調整する必要があることが多いため、設置が更に複雑になる可能性がある。
【０００５】
バイオサンド水処理システムの２つの主な欠点は、砂の重量と砂に必要な特定の粒径であるとも考えられている。砂の製造及び輸送は、バイオサンドフィルタの世界的な実施において大きな障害となっている。その代替として、コンクリート、発泡体及びプラスチックを利用する水処理システムがある。
【０００６】
従来の重力供給・水処理システムには、ほかに多くの問題がある。例えば、ここで数例挙げるだけで、凝集段階からの水放出のタイミング、フィルタの維持、及び一貫して効率的な塩素処理の問題があり得る。さらに、携帯性、効率及びコストの更なる改善が歓迎される。
【発明の概要】
【０００７】
本発明の一態様は、ポータブル形態と水処理システム形態との間で選択的に構成可能なポータブル水処理システムを提供する。ポータブル水処理システムには、複数の入れ子及び積み重ね容器（multiple nest and stack containers）とが含まれ得る。
【０００８】
別の態様において、凝集は、１種以上の凝集剤を用いて凝集容器内で生じる。水は、手動弁アセンブリを用いて、別の容器に放出することができる。凝集容器には、水を受け入れる入口と、水を分配する出口と、が含まれる。フィルタ支持体には、前述の出口を通る水の流れを制限する流れ制限口が含まれ、フィルタ支持体は、前述の流れ制限口を覆うフィルタを支持することが可能である。手動弁構成部品は、フィルタ支持体と連動して、水の流れを制御する弁を形成する。弁構成部品には弁構成部品口部が含まれ、弁構成部品は、開弁位置と閉弁位置との間を手動により移動させることが可能である。流れ制限口と弁構成部品口部は、弁構成部品口部から出口への水流路を形成するように、開弁位置に合わせられる。流れ制限口と弁構成部品口部は、弁構成部品口部から出口への水流路を妨げるように、閉弁位置には合わせられない。
【０００９】
別の態様では、凝集を促進する方法を提供することができる。この方法には、水を有した凝集室に第１の凝集剤を加えるステップと、第１の凝集剤と水とを凝集室内で混合するステップと、フロックが形成し始めるのを、所定の遅延時間、待機するステップと、が含まれ得る。次いで、所定の遅延時間後に、フロックの形成を促進するために第２の凝集剤を水に加えることができる。この第２の凝集剤は、凝集室内で第１の凝集剤と水中で混合される。そして、本方法には、フロックが十分に形成し、そして凝集室の底に沈降するのを待機するステップが含まれる。一実施形態において、混合ステップは約１分間行われ、凝集剤を水に加える間の遅延時間は、約２分〜１０分である。この過程により、フロックが凝集室の底に十分に沈降するのを待機するのにかかる時間は、１０分から２時間であり、この時間は、従来の凝集過程に対して大幅に短縮されている。
【００１０】
別の態様において、フィルタ容器には、１つ以上のバイオフォーム(biofoam)フィルタを備えたフィルタシステムが含まれていてもよく、バイオフォームフィルタがそれぞれ、制限オリフィスであって、流速を制御し、そして生物群集がフィルタ上又はフィルタ内でコロニーを形成して成長する制限オリフィスを備える。フィルタシステムには、フィルタ動作位置とフィルタメンテナンス位置との間を回転することが可能な１つ以上の回転フィルタ支持アームを備えたフィルタ支持体アセンブリが含まれ得る。フィルタ支持アームをフィルタ動作位置に回転させると、フィルタ容器とフィルタ容器の出口との間を水が連通する。フィルタ支持アームをフィルタメンテナンス位置に回転させると、フィルタ容器とフィルタ容器の出口との間の水の連通が防止される。これによって、フィルタ容器の水槽内のろ過されていない水が清浄な水流に加わること、及び再汚染を発生させることが防止される。一部の実施形態において、フィルタ容器は、動作のための最小水位を有し得る。これらの実施形態において、フィルタ動作位置は、フィルタ支持体入口が最小水位を下回るように構成され、そして、フィルタメンテナンス位置は、フィルタ支持体入口が最小水位を上回るように構成され得る。
【００１１】
別の態様において、水は、塩素処理システムを介して塩素処理される。塩素処理システムは、安定剤を含まない次亜塩素酸カルシウムなどの塩素錠剤を扱うように構成することができる。塩素処理システムには、水流路を制御するように水流路に配置された円錐状先端が含まれ得る。塩素処理システムには、水流路から塩素錠剤を保護するカプセルが含まれる。カプセルには、カプセルの側壁に沿って配置された１つ以上の水平方向スロットが含まれ、これによって、水は、カプセル内に配置された塩素錠剤と連通することができる。
【００１２】
更に別の態様では、塩素処理水を貯蔵し、そして処理水の再汚染を防止するのに、貯蔵容器を用いることができる。貯蔵容器には、分配される前に水から塩素を除去するカーボンフィルタが含まれ得る。カーボンフィルタは、カーボンフィルタの端部キャップを留めるＵ字形の開口部を備えた保持フレームを用いて、所定の位置に保持することができる。
【００１３】
本開示は、図面及び次の説明を参照することによって、更に十分に理解され得る。次の図面を参照して、限定的でなく及び網羅的でない実施形態を説明する。図面中の構成部品は、必ずしも縮尺どおりではなく、むしろ本発明の原理を説明することに重点が置かれている。図面において、同様の参照符号は、種々の図の全体を通して対応する部分又は類似の部分を表す。
【図面の簡単な説明】
【００１４】
【図１Ａ】水処理システム形態により構成された入れ子及び積み重ね容器の一実施形態の斜視図を示す。
【図１Ｂ】水処理システム形態により構成された入れ子及び積み重ね容器の一実施形態の側面図を示す。
【図１Ｃ】水処理システム形態により構成された入れ子及び積み重ね容器の一実施形態の側面図を示す。
【００１５】
【図２】輸送形態により構成された入れ子及び積み重ね容器の斜視図を示す。
【００１６】
【図３Ａ】蓋が開いている凝集容器の斜視図を示す。
【００１７】
【図３Ｂ】手動弁アセンブリの分解図を示す。
【００１８】
【図４Ａ】切断線を含む、凝集容器の斜視図を示す。
【００１９】
【図４Ｂ】切断線４Ｂに沿った断面図を示す。
【００２０】
【図５Ａ】開位置にある手動弁構成部品を含む、切断線５Ａに沿った断面図を示す。
【００２１】
【図５Ｂ】閉位置にある手動弁構成部品を含む、切断線５Ａに沿った断面図を示す。
【００２２】
【図６Ａ】フィルタ容器の斜視図を示す。
【００２３】
【図６Ｂ】蓋が取り外され、切断線を含む、フィルタ容器の上面図を示す。
【００２４】
【図６Ｃ】スナップ式の蓋を備えたフィルタ容器の斜視図を示す。
【００２５】
【図６Ｄ】フィルタ容器の側面図を示す。
【図６Ｅ】フィルタ容器の側面図を示す。
【００２６】
【図７】フィルタアセンブリの分解図を示す。
【００２７】
【図８】フィルタ動作位置にあるフィルタアセンブリを備える、切断線８に沿ったフィルタ容器の断面図を示す。
【００２８】
【図９】フィルタメンテナンス位置にあるフィルタアセンブリを備える、切断線８に沿ったフィルタ容器の断面図を示す。
【００２９】
【図１０】塩素処理システムの分解図を示す。
【００３０】
【図１１Ａ】塩素処理システムの一部及び出口に接続された蛇口を備えた貯蔵容器の斜視図を示す。
【００３１】
【図１１Ｂ】貯蔵容器の上面図を示す。
【００３２】
【図１１Ｃ】切断線を含む、貯蔵容器の側面図を示す。
【００３３】
【図１１Ｄ】貯蔵容器の側面図を示す。
【００３４】
【図１２Ａ】貯蔵容器の切断線１２Ａに沿った断面図を示す。
【００３５】
【図１２Ｂ】貯蔵容器の切断線１２Ｂに沿った断面図を示す。
【００３６】
【図１３】貯蔵容器の分解図を示す。
【００３７】
【図１４】水処理システム及び分配構成部品が取り外された貯蔵容器の斜視図を示す。
【００３８】
【図１５】塩素処理システムが取り外されたフィルタ容器の斜視図を示す。
【００３９】
【図１６】カーボンフィルタアセンブリ及び手動ポンプの分解図を示す。
【００４０】
【図１７】手動ポンプの代替実施形態を示す。
【００４１】
【図１８】二容器式水処理システム(two container water treatment system)の一実施形態の斜視図を示す。
【００４２】
【図１９】手動ボール弁アセンブリを備えた二容器式水処理システムの分解図を示す。
【００４３】
【図２０】手動ボール弁アセンブリの一実施形態の側面図を示す。
【００４４】
【図２１】手動ボール弁アセンブリの上面図を示す。
【００４５】
【図２２】手動ボール弁アセンブリの断面図を示す。
【図２３】手動ボール弁アセンブリの断面図を示す。
【００４６】
【図２４】手動ボール弁アセンブリの分解図を示す。
【図２５】手動ボール弁アセンブリの分解図を示す。
【００４７】
【図２６】手動ＥＰＤＭ弁アセンブリを備えた二容器式水処理システムの分解図を示す。
【００４８】
【図２７】手動ＥＰＤＭ弁アセンブリの一実施形態の斜視図を示す。
【００４９】
【図２８】閉位置にある手動ＥＰＤＭ弁アセンブリの上面図を示す。
【００５０】
【図２９】閉位置にある手動ＥＰＤＭ弁アセンブリの断面図を示す。
【図３０】閉位置にある手動ＥＰＤＭ弁アセンブリの断面図を示す。
【００５１】
【図３１】開位置にある手動ＥＰＤＭ弁アセンブリの上面図を示す。
【００５２】
【図３２】開位置にある手動ＥＰＤＭ弁アセンブリの断面図を示す。
【図３３】開位置にある手動ＥＰＤＭ弁アセンブリの断面図を示す。
【００５３】
【図３４】手動ＥＰＤＭ弁アセンブリの分解図を示す。
【００５４】
【図３５】交換フィルタの代替実施形態の断面図を示す。
【発明を実施するための形態】
【００５５】
本開示の水処理システム１は、種々の状況に応じて構成可能である。種々の構成部品は、飲食又は他の用途において水を処理するように、単独で又は種々の組合せにより用いることができる。以下に詳述する構成は例示的なものであり、完全に網羅するものではない。
【００５６】
本明細書に説明されている実施形態の図は、種々の実施形態の構造の一般的な理解を提供するものとする。これらの図は、本明細書に説明されている構造又は方法を利用する装置及びシステムの要素及び特徴のすべてを完全に説明するものとして機能するものではない。本開示を検討することによって、他の多くの実施形態が当業者に明らかであり得る。本開示から他の実施形態を利用し導き出し、本開示の範囲から逸脱することなく、構造的及び論理的な置換及び変更をすることができる。加えて、図は代表的なものにすぎず、縮尺どおりに描かれていない場合がある。図中の特定の比率は誇張され得るが、他の比率は最小限に抑えられ得る。したがって、開示及び図面は、限定的ではなく、例示的なものとみなされる。
【００５７】
本開示の１つ以上の実施形態は、本明細書では、単に便宜上から、そして、本出願の範囲を特定の発明又は発明概念に自発的に限定しようとするものではなく、個々に及び／又はまとめて、「発明」という用語を意味し得る。さらに、特定の実施形態が本明細書に図示され説明されているが、同じ又は類似の目的を達成するように構成された後続の構成は、示されている特定の実施形態の代わりに用い得ることが認識される。本開示は、種々の実施形態のいずれか及びすべての後続の改良又は変形を包含するものとする。上述した実施形態の組合せ、及び本明細書に具体的に説明されていない他の実施形態は、説明を検討することにより、当業者に明らかである。
【００５８】
本発明は、複数の入れ子及び積み重ね容器によって実施することができる。入れ子及び積み重ね容器はそれぞれ、比較的小さな空間を占めるコンパクトな群内の他の容器と入れ子になることが可能である。さらに、入れ子及び積み重ね容器は、順に積み重ねることが可能である。入れ子及び積み重ね容器は、コンパクトな貯蔵及び輸送形態と水処理システム形態との間で選択的に構成することができる。輸送形態では、それぞれの容器が互いに入れ子になっており、水処理システムの構成部品は、１つ以上の入れ子容器内に格納することができる。システムが水処理システム形態にされると、それぞれの容器は蓋を有することができ、それぞれの容器は、以下に更に詳細に論じるように、種々の水処理システム構成部品が容器の適切な位置に取り付けられた状態で順に積み重ねられる。
【００５９】
図１Ａ〜Ｃは、３つの入れ子及び積み重ね容器１００、２００、３００を備えた水処理システム１の一実施形態を示している。水処理システム１は、輸送形態（図２）と水処理システム形態（図１Ａ〜Ｃ）との間で選択的に構成することができる。描写されている実施形態には、凝集容器１００と、フィルタ容器２００と、塩素処理装置２０４と、貯蔵容器３００と、蛇口３０４と、が含まれている。描写されている水処理システム１は、凝集段階、生物ろ過段階、塩素処理段階、及びカーボンフィルタ段階という４つの段階を有する。代替の構成には、付加的な又は少数の入れ子及び積み重ね容器が含まれ、付加的な、少数の又は種々の水処理システム段階が含まれ得る。
【００６０】
入れ子及び積み重ね容器はそれぞれ、付属の蓋を有し得る。描写されている実施形態では、それぞれの容器は、付属の蓋１０２、２０２、３０２を有している。蓋はスナップ嵌めであり、蓋には、容器の底面の保持機構１１９、２１９、３１９と相互作用する保持機構１０７、２０７、３０７が含まれ得る。このようにして、蓋を所定の位置に配置して、容器を水処理システム形態に積み重ねることができる。それぞれのバケツの蓋の一部は、必要に応じて、設置又はメンテナンス手順時にバケツ内部に容易に接近できるように、ヒンジ式にしてもよい。または、ホース、管、又はシステムに水を供給する他の方法から水を受け入れるように、バケツの上部又はその近くに吸水管を配置してもよい。輸送及びメンテナンスを容易にするために、バケツには、必要に応じて、運搬用ハンドルが装備されている。
【００６１】
システムを水処理システム形態に構成するように、種々の水処理システム構成部品を、入れ子及び積み重ね容器に着脱可能に取り付けることができる。例えば、塩素処理システム２０４を容器の出口に取り付け、水流路を別の容器に設けてもよい。水処理システム構成部品は、輸送形態により構成されている間に、１つ以上の入れ子及び積み重ね容器に格納することができる。
【００６２】
図２は、輸送形態の、３つの入れ子及び積み重ね容器１００、２００、３００を備えた水処理システム１を示している。本実施形態において、容器は、その内部で互いに入れ子になって示されている。種々の水処理システム構成部品は、容器の内部に格納することができる。例えば、塩素処理システム２０４、蛇口３０４、及び容器内部に配置された他の種々の構成部品は、これらの通常の位置から取り外され、輸送形態の格納場所に配置されていてもよい。水処理システムの構成部品を、入れ子及び積み重ね容器におけるこれらの取り付け位置から取り外すことによって、容器は、その内部で互いに入れ子になることができる。他の水処理構成部品は、容器が入れ子になったときに、入れ子に干渉することなく、所定の位置にとどまることができる。例えば、手動弁構成部品１０５及びフィルタシステム２０６は、それぞれの容器内の所定の位置に残ってもよい。
【００６３】
容器のサイズは、本開示の範囲から逸脱することなく、変更することができる。例えば、水処理には、それぞれ約５ガロンの小型容器を用いてもよいし、又は、５０、５００若しくは１０００ガロン以上の大型容器も用いてもよい。本明細書に開示されている過程は、依然として、処理される水の量に応じて種々のサイズに適用可能である。
【００６４】
図示されている実施形態において、凝集は、１種以上の凝集剤を用いて凝集容器１００内で生じ得る。未処理の水を凝集剤と混合し、一定期間沈降させることができる。以下に更に詳細に説明する凝集過程の一実施形態は、過程を促進するのに利用され得る。いったん凝集が完了すると、手動弁アセンブリを用いて、生物ろ過水処理段階のために、水をフィルタ容器２００に放出することができる。フィルタ容器２００に流入する前に、水は粗いフィルタ内を流れ、大きな凝集粒子（フロックと称することもある。）が凝集容器１００から出ることを防止できる。凝集容器から出る水の流速は、制限することができる。例えば、凝集容器には、水流路に制限オリフィスが含まれていてもよく、制限オリフィスは、凝集容器を出る水が急速に流れること、そして沈降したフロックを撹拌することを防止する。また、下流の処理システムにおいては、凝集容器を出る水の流速を制限することも有用であり得る。
【００６５】
フィルタ容器２００には、１つ以上のバイオフォームフィルタを備えたフィルタシステムが含まれていてもよく、バイオフォームフィルタがそれぞれ、制限オリフィスであって、流速を制御し、そして生物群集がフィルタ上又はフィルタ内でコロニーを形成して成長する制限オリフィスを備えている。生物層は、水から、嚢胞、細菌及びウイルスのような病原体を除去する。フィルタシステムには、フィルタ動作位置（図８を参照）とフィルタメンテナンス位置（図９を参照）との間を回転することが可能な１つ以上の回転フィルタ支持アーム２２２を備えた第１のフィルタ支持体アセンブリが含まれ得る。フィルタ支持アーム２２２は、フィルタ要素２５４から水を受け入れるように、フィルタ支持体入口としても機能する。フィルタ支持アーム２２２は、マニホールド２２５に対し独立して回転することができ、これによって、フィルタ要素（シールドを含む。）を独立して回転させることができる。フィルタ支持アーム２２２をフィルタ動作位置に回転させると、フィルタ容器とフィルタ容器の出口との間を水が連通する。フィルタ支持アーム２２２をフィルタメンテナンス位置に回転させると、フィルタ容器とフィルタ容器の出口との間の水の連通が防止される。これによって、フィルタ容器の水槽内のろ過されていない水が清浄な水流に加わること、及び再汚染を発生させることが防止される。一部の実施形態において、フィルタ容器は、動作のための最小水位２５２を有し得る。これらの実施形態において、フィルタ動作位置は、フィルタ支持体入口２２２が最小水位を下回るように構成され、そして、フィルタメンテナンス位置は、フィルタ支持体入口２２２が最小水位を上回るように構成され得る。フィルタ要素２５４及びシールド２０８が水から回転されるにつれて、水位２５２が低くなり得ることは注目に値する。フィルタ支持体入口２２２は、回転時に、入口２２２が図９に示されているように水位を上回り、フィルタ要素及びシールドが水中に沈んでいるときに、図８に示されている水位よりも低い水位になるように配置することができる。
【００６６】
フィルタ容器２００から出る水は、貯蔵容器３００に入る前に、塩素処理システム２０４を介して塩素処理される。図示されている実施形態において用いられる塩素錠剤は、トリクロロイソシアヌル酸などの一部の他の塩素錠剤又は他の錠剤中に含まれる安定剤を含有しない次亜塩素酸カルシウム塩素錠剤であり得る。塩素処理システムは、あらかじめ選択された量の塩素を放出して、錠剤が消耗するまで水を供給する。
【００６７】
貯蔵容器３００には、分配される前に水から塩素を除去するカーボンフィルタが含まれている。カーボンフィルタは、保持フレームを用いて所定の位置に保持することができる。水は、重力のみを利用してシステム内を流れ得る。または、手動ポンプを用いて、貯蔵容器３００のカーボンフィルタ及び出口内の流速を上昇させることができる。
【００６８】
Ｉ．凝集段階
一実施形態によれば、重力供給・水処理システムは、凝集によって水から汚染物質を除去することができる。凝集は、一部の種の化学物質（凝集剤）を用いて、水中に懸濁した粒子を、ともに結合（凝集）させ、そして、凝集剤を加えて生じる密度の上昇により、タンク又は容器の底に沈降させることによって、溶液から出てくるようにさせることを含む。場合によっては、水中に懸濁した粗粒子は、凝集剤を加えることなく容器の底に沈降するが、これは、時間が長くかかることがある。他の粒子は溶液中に残存し、決して底に沈降することはない。
【００６９】
実際に、農村地域又は未開発地域では、水は、水源、例えば、湖、河川又は井戸から容器又はタンクに集められることが多い。凝集剤は少量で加えてもよく、例えば、５ガロン容器の被処理水当たり、小さじ１杯であってもよい。凝集剤としては、アルミニウムクロロハイドレート、硫酸アルミニウム（ミョウバン）、塩化鉄、硫酸鉄、ポリアクリルアミド、ポリ塩化アルミニウム、又はケイ酸ナトリウムなどの種々の化学物質を挙げることができる。また、キトサン、モリンガ・オリフェラ(moringa olifera)種子、パパイン又はアイシングラスのような付加的な又は代替の天然凝集剤を用いることもできる。一部の実施形態では、アルミン酸ナトリウムなどの凝集助剤を容器に加えることができる。１回分の凝集剤を加えた後、撹拌して効果を向上させ、化学物質を容器の周りに均等に分布させることができる。撹拌は、従来の電気機械的撹拌装置、磁気撹拌装置、スプーンなどの機械的撹拌具、又は他の撹拌方法若しくは撹拌装置を用いて行うことができる。
【００７０】
次のステップは、処理された水をその容器内に一定期間放置することを含む。５ガロン容器の場合、粒子が凝集して容器の底に沈降するのに、処理水を１２〜２４時間ほど長く放置することが望ましいと考えられるが、化学的条件と水条件との種々の組合せによって、時間はずっと短くなり得る。この過程には多少時間がかかることがあるため、凝集剤により処理された水を安定的に供給するには、複数の容器が関与し、種々の処理段階にあることが望ましいと考えられる。次いで、凝集剤を多く含む水を、一定期間、例えば数時間、又は可視粒子状物質が容器の底に沈降するまで放置する。細菌(microbes)又は微生物(microorganisms)並びに一部の微粒子及び他の水汚染物質は、凝集剤処理水中に残存していることに留意することが重要である。
【００７１】
水を十分に清浄にした後、（予想される沈降物レベルを超える深さの箇所にあることが好ましい）容器と一体の蛇口又は弁によって、容器から水を取ることができる。
【００７２】
図３Ａ〜Ｂ、図４Ａ〜Ｂ及び図５Ａ〜Ｂは、本開示の一実施形態に係る凝集(flocculation)（「凝集(coagulation)」と称することもある。）処理システム２を示している。システム２には、概して、入口９８、出口１８８及び弁アセンブリ１０１を有する容器又はタンク１００が含まれる。図示されている実施形態のタンク１００は、バケツ、例えば、プラスチック製の５ガロンバケツである。または、バケツ１００は、本質的に、凝集のために水を貯蔵することが可能な他の容器又は水槽であってもよい。図示されている実施形態において、出口１８８は、弁アセンブリ１０１の一部、及びバケツの底面１１８によって形成される。弁アセンブリ１０１は、タンク１００から水を選択的に分配させることが可能である。
【００７３】
図示されている実施形態において、弁アセンブリ１０１には、手動弁構成部品１０５と、取り付けブラケット１０３と、フィルタ支持体アセンブリ１１４、１２２と、フィルタ１０６と、が含まれる。手動弁構成部品１０５には、ハンドル１０９と連結された可動部材１０４が含まれている。図示されている実施形態の手動弁構成部品１０５は、手動弁構成部品１０５が定位置にあるときに水を流すように、一方の端部付近に窓１１２を有する中空軸である。
【００７４】
フィルタ支持体１１４は、タンク１００の底面１１８に連結されている。図示されている実施形態において、フィルタ支持体１１４は、テーパ面であって、スナップ嵌め部材１２２と連動して、タンク１００の底面を、取り付けフランジ１２４とスナップ嵌め部材１２２との間に挟むことによりスナップ継手(snap-joint)を形成し、複数の突起１２５を備えたテーパ面を有する。代替実施形態において、フィルタ支持体１１４は、異なる取り付けシステムを用いて凝集容器に固定されていてもよく、凝集容器の異なる位置に固定されていてもよい。
【００７５】
おそらく図５Ｂに最もよく示されているように、フィルタ支持体１１４には、流れ制限器１１６であって、凝集容器１００からの水の流れを１リットル／分未満の流速に制限して、例示的な形態において沈降したフロックを再撹乱することを避ける流れ制限器が含まれている。図示されている実施形態における流れ制限口１１６は、０．１６１インチ（４.０９ｍｍ）の径を有する。流れ制限口の径は、用途に応じて水の流速を増減するように、更に大きくか又は更に小さく製造することができる。流れ制限口の高さは、水の予想されるバッチの沈降物レベル１５０が口の高さよりも低くなるように選択することができる。例えば、流れ制限口１１６の高さは、平均の場合、最悪の場合、又は他の場合の凝集性能に基づいて選択してもよい。すなわち、予想される沈降物１５０の最大高さは、所定量の凝集剤を加えたバケツ一杯の水における沈降物の予想最大量に基づいて算出してもよい。また、高さは、蓄積された沈降物を除去することができる清浄サイクルの間に、予想される若しくは望ましいメンテナンス時間スケジュール、又は好ましいバッチの数によっても影響を受け得る。
【００７６】
本実施形態には単一の流れ制限口が含まれるが、別の実施形態では、複数の流れ制限口又は他の流れ制限器を用いて、凝集容器１００から所望の流速を達成することができる。
【００７７】
フィルタ支持体は、流れ制限口１１６を覆うフィルタを支持すること可能である。流れ制限口をフィルタで覆うことによって、大きな沈降物粒子が、流れ制限口を通る水流を遮断するか又は妨げることを防止できる。図示されている実施形態は、ほぼ円筒形の本体部分を有するフィルタ支持体１１４を示しているが、フィルタ支持体は、所望のフィルタのサイズ及び形状を支持することができる本質的にあらゆるサイズ及び形状を有し得る。
【００７８】
フィルタ支持体１１４は、手動弁構成部品１０５と連動して、凝集容器からの水の流れを制御する。弁構成部品１０５は、開弁位置と閉弁位置との間を手動により移動可能である。図５Ａは開位置にある弁を示し、図５Ｂは閉位置にある弁を示す。
【００７９】
本実施形態において、弁構成部品１０５は、開弁位置と閉弁位置との間を垂直方向に選択的に移動可能である。本実施形態は、押す／引く形態によるプランジャのように機能する手動弁構成部品を利用する。フィルタ支持体１１４には、突起又は留め具１２０であって、弁構成部品口部１１２の上端縁及び下端縁と相互作用して、弁構成部品１０５の垂直方向の移動をいずれかの方向に突起１２０を越えて制限する突起又は留め具が含まれている。Ｏリング１０８、１１０は、弁構成部品が移動し、その移動に沿って垂直位置に静止できるように、摩擦を提供することができる。このようにして、ユーザは、手動弁構成部品１０５を開位置又は閉位置に移動させ、所定の位置に残すことができる。本実施形態は、垂直方向に移動可能な弁構成部品を利用しているが、他の弁構成を用いてもよい。例えば、弁構成部品１０５は、選択的に、開弁位置と閉弁位置との間を回転することができる４分の１回転スイッチであってもよい。このような実施形態において、Ｏリングは、再配置されてもよいし、取り外されてもよい。２つの代替実施形態による手動弁アセンブリを、以下に説明する二容器式水処理システムの実施形態に関して説明する。
【００８０】
流れ制限口１１６と弁構成部品１０５の口部は、弁構成部品の弁構成部品口部から出口への水流路を妨げるように、閉弁位置には合わせられない。この位置では、Ｏリング１０８、１１０は、手動弁アセンブリ構成部品１０５とフィルタ支持体１１４との間の空間を封止して、これらの間から水が漏出することを防止する。流れ制限口１１６と弁構成部品口部１１２は、弁構成部品口部から凝集容器出口への水流路を形成するように、開弁位置に合わせられる。この位置では、Ｏリング１０８は、手動弁アセンブリ構成部品とフィルタ支持体との間の空間を封止して、水が上方に漏出することを防止する。
【００８１】
作動時に、一実施形態では、凝集は、１種以上の凝集剤、例えば、硫酸アルミニウム（ミョウバン）及び／又はポリ塩化アルミニウム（ＰＡＣｌ）を用いて、凝集容器１００内で生じ得る。種々の凝集剤は、種々の要因に応じて、種々の効果をもたらし得る。例えば、特定の凝集剤は、異なる原水に対して更に良好な効果を生じてもよい。凝集剤は、特定のｐＨ範囲により原水をどれくらい効果的に処理するか、という点から説明することができる。原水のｐＨは、水の汚染レベルを含む、種々の理由により変動し得る。通常、天然水のｐＨ値は、３〜１１で変動する。第１の凝集剤は、第１のｐＨ範囲を有する原水を凝集させるのに特に効果的であり、また、第２の凝集剤は、第２のｐＨ範囲を有する原水を凝集させるのに特に効果的であり得る。例えば、ＰＡＣｌの有効ｐＨ範囲は約５〜９であり、ミョウバンの有効ｐＨ範囲は約６〜１０であってもよい。これらの範囲は、種々の要因によって異なることがある。
【００８２】
種々の有効ｐＨ範囲を有する２種以上の凝集剤を用いることによって、効果的な凝集のために、更に広いｐＨ範囲を提供することができる。例えば、凝集容器にミョウバン及びＰＡＣｌを加えることによって、約５〜１０の有効ｐＨ範囲を提供してもよい。
【００８３】
凝集過程には、通常、凝集タンク１００に水を加えることが含まれる。水をタンク１００に加えた後、１種以上の凝集剤を水に加え、約１分間撹拌する。水と凝集剤とを混合した後、その混合物をそのまま放置して、フロックを形成し、これが容器の底に沈降する。図５Ａ〜Ｂは、沈降物レベル１５０を示している。図５Ａでは、沈降物がちょうど沈降し始めている。図５Ｂでは、フロックがすべて沈降し、水が次の水処理容器に分配されている。平均沈降時間は、約１０〜２４時間であり得るが、種々の要因に応じて変動し得る。
【００８４】
沈降時間は、種々の方法により定義することができる。一部の実施形態において、沈降時間は、特定の割合のフロックが容器の底に沈降する時間と定義され得る。例えば、沈降時間は、フロックの約９０％が容器の底に沈降する時間であってもよい。凝集過程が完了したか否かを判断する方法の一つは、インジケータ１１７を用いることである。インジケータ１１７は、フロックが十分に沈降し、水を次の処理段階に放出できるか否かを示すのに用いることができる。インジケータ１１７は、流れ制限オリフィス１１６とほぼ同じ高さに配置することができる。本実施形態において、インジケータ１１７は、凝集容器の入口９８を介して凝集容器の水槽を見るユーザに対して、水中のフロックによって隠されている着色されたバンドである。いったんフロックが十分に沈降すると、インジケータ１１７は、水が次の段階に放出され得ることをユーザに表示して見せることができる。インジケータ１１７は、沈降時間に蓄積することが予想される沈降物１５０の深さを超える高さに配置することができる。
【００８５】
例えば、図５Ａは、容器１００に水が水位１５２まで満たされ、沈降物が沈降して、インジケータ１１７が水を介してユーザに視認可能になっていることを示している。したがって、手動弁構成部品１０５を、描写されている位置まで上昇させて、水を、流れ制限口１１６及び窓１１２から出口１８８へ流すことができる。いったん所望の量の水が凝集容器から排出されると、手動弁構成部品１０５をその閉位置に移動させて、水の流れを止めることができる。例えば、図５Ｂでは、水位１５２が流れ制限口１１６の高さに達するまで、水が排出され、その時点で手動弁が閉じられ、別の凝集が生じる準備が整っている。凝集過程時に沈降物が時間の経過とともに沈降することは注目に値するが、これは、図５Ａでは、沈降物レベル１５０が、図５Ｂの沈降物レベル１５０よりも高い高さに示されているからである。凝集過程の開始時に、沈降物は、バケツの上部からの水によって時間の経過とともにインジケータ１１７の視認性を妨げ、沈降物が完全に沈降する前には、インジケータ１１７が視認可能になる。
【００８６】
一実施形態では、凝集過程を大幅に促進することができる。すなわち、インジケータ１１７が視認可能になる時間を大幅に短縮することができる。具体的には、凝集過程時に種々の回数、複数の種々の凝集剤を水に加えることによって、沈降時間を大幅に短縮することができる。例えば、第１の凝集剤を水に加えてもよい（すなわち、１．６ｇのミョウバン粉末）。水を約１分間撹拌するか、又は、混合するまで、約１５秒から２分間撹拌することができる。予備沈降時間において、約１分間、水を放置することができる。次いで、第２の凝集剤を水に加えることができる（すなわち、０．８ｇのＰＡＣｌ）。水を約１分間再び撹拌するか、又は、混合するまで、約１５秒から２分間撹拌することができる。次に、混合物を沈降させてから、次の処理段階へ放出することができる。一実施形態において、混合物は、インジケータ１１７が凝集槽内の水を通して見ているユーザに視認可能になるまで、沈降し得る。種々の回数凝集剤を加えることによって、沈降時間を１０〜２４時間から１０分〜２時間に短縮することができる。代替実施形態において、第１の凝集剤及び第２の凝集剤のタイミングを入れ替えることができる。すなわち、一実施形態では、ＰＡＣｌは、凝集過程の開始時に加えることができ、また、ミョウバンは、ＰＡＣｌ予備沈降時間の後に加えることができる。したがって、この過程は、従来の凝集過程と比較して、凝集沈降時間を大幅に短縮することができる。本実施形態に用いられる凝集剤(flocculants/coagulants)は、ミョウバン及びＰＡＣｌであるが、これらの薬剤は、他の凝集剤に置き換えることができる。例えば、ミョウバン、ＰＡＣｌの代わりに、又はこれらの両方の代わりに、塩化第二鉄又は他の高分子系化学物質を用いてもよい。さらに、１種以上の凝集剤を混合物に加えることができる。この過程に関連する種々の時間は、温度に基づいて変動し得ることに留意すべきである。例えば、凝集(flocculation/coagulation)は、温度が低いほど長くかかってもよい。
【００８７】
一実施形態において、タンク１００は凝集にのみ用いられ、１種以上の凝集剤のみが未処理の水とともにタンク１００に加えられる。別の実施形態において、タンク（１００）は、凝集と塩素処理の両方に用いられる。本実施形態による実施の一例では、生物ろ過段階は存在せず、タンク２００及び塩素処理システム２０４は用いられない。本実施形態において、凝集タンク１００に投入される塩素は、消毒剤として作用し、Ａｓ（ＩＩＩ）をＡｓ（Ｖ）に変換する酸化剤として機能する。塩素及び凝集剤によって、凝集によるヒ素の除去率は９０％超に達し得る。塩素処理システム２０４を含まない他の代替実施形態は、図１８〜３４に示され、以下に更に詳細に論じる。
【００８８】
凝集タンクは、フィルタ容器２００の上部に配置することができ、これによって、凝集容器１００の出口１８８は、フィルタ容器２００の入口２０３と水が連通している。流れ制限口１１６及び他の要因により、手動弁構成部品が開位置にあるとき、凝集容器１００からフィルタ容器２００への水流が調節される。本実施形態において、水は約１Ｌ／分の速度でフィルタ容器２００に入る。代替実施形態において、速度は、例えば、流れ制限口のサイズを変更することによって、更に速く又は更に遅くなるように調整することができる。
【００８９】
ＩＩ．フィルタ段階
図６Ａ〜６Ｅは、水処理システム１においてフィルタ段階を実施するのに用いることができるフィルタシステムアセンブリ３の一実施形態を示している。図示されているフィルタシステムアセンブリ３には、フィルタ容器２００と、フィルタ容器蓋２０２と、フィルタ容器２００内に取り付けられたフィルタシステム２０６と、が含まれている。フィルタ容器蓋２０２は、入口として機能し得る口部２０３と、フィルタ容器２００の上部の所定の位置に入れ子及び積み重ね容器を保持し得る保持機構２０７と、を有している。作動時に、水はフィルタシステム２０６内を流れ、フィルタ容器の出口として機能するフィルタ容器の側壁の口部からフィルタ容器２００の外に流れる。図示されている実施形態において、塩素処理システム２０４は、フィルタ容器の出口に接続されている。図示されている実施形態において、塩素処理システム２０４を通る水流路の高さは、フィルタ容器の出口よりも高い。したがって、塩素処理システム２０４を通る水流路の高さは、フィルタ容器の最小水位を決定する。塩素処理システム２０４は、塩素処理段階に関して以下に更に詳細に論じる。
【００９０】
フィルタシステム２０６は、生物ろ過システムであってもよく、生物ろ過システムは、フィルタ要素内又はフィルタ要素上に成長した生物群集を流れる水中の細菌濃度を減少させる。生物ろ過システムには、制限オリフィス２１１であって、システム内の流速を制御し、そして生物群集がコロニーを形成して成長する制限オリフィスが含まれ得る。生物群集（生物層と称することもある。）は、水から、嚢胞、細菌及びウイルスのような病原体を除去することができる。
【００９１】
水が最初にフィルタ容器２００に入ると、水は、フィルタシステム３のフィルタ要素が完全に水中に沈んでいる水位２５２を超えて水槽を充填する。生物群集は成長し、完全に水中に沈んだ状態で維持することができる。水はフィルタ要素２５４を通過して、微粒子及び細菌をろ過することができる。その結果、水中の天然有機物及び細菌が減少する。水は、フィルタシステムを通ってフィルタ容器の出口へ流れる。
【００９２】
水流路の最高点の相対的な高さ、及びフィルタ容器の水位は、フィルタシステムの制限オリフィスとともに、水がフィルタシステム内をどれくらい多く、そしてどれくらい速く流れるかを決定するのに有用である。フィルタ容器３の水の最高高さは、フィルタ上に存在する初期水圧を決定するのに有用である。通常、水圧が高いほど、水はシステム内を速く流れ得る。フィルタシステムの出口の高さは、システム内の水の流れが止まる点を確立する。フィルタ容器の水の高さが、フィルタシステムの出口の高さと等しいか又はそれよりも低いレベルに低下すると、水圧は平衡に保たれ、流れを止める。本実施形態において、水の流れは、フィルタ要素のレベルよりもわずかに高い高さにおいて止まる。これによって、水のわずかな深さが常にフィルタ要素を覆い、生物層が完全に維持されることが保証される。
【００９３】
描写されている実施形態において、フィルタシステム２０６には、交換可能な１対のバイオフォームフィルタ２５４が含まれ、バイオフォームフィルタはそれぞれ、生物群集がコロニーを形成して成長できるように流速を較正する制限オリフィス２１１を有する。交換可能なフォームフィルタは軽く、製造が容易であり、中枢となる場所から容易に出荷される。また、経験の浅いユーザでも、設置過程を容易に行うことができる。生物群集は、発泡体２１０の上部又は発泡体の細孔内に形成することができ、また、出口水中の病原体を大幅に低下させることができる。
【００９４】
本実施形態における発泡体の細孔密度は、１インチ当たり約１００個の細孔である。代替実施形態において、細孔密度は、用途に応じて調整することができる。ポリウレタンフォームは、長年にわたって安定であり、細菌に消費されない。さらに、ポリウレタンフォームは、水接触のＮＳＦ認証に合格した配合物により利用可能である。
【００９５】
本実施形態において、それぞれのバイオフォームフィルタは、発泡体のシート２１０を円筒体に巻きつけ、そして、これに２つの端部キャップ２１２、２１４をかぶせて、半径流フィルタ要素２５４を形成することによって構成される。図示されている実施形態には２つのバイオフォームフィルタが含まれるが、例えば、フィルタティー又は他のフィルタ接続システムを用いることによって、システムをあらゆるサイズに調整するのに、付加的な又は少数のフィルタ要素を用いてもよい。一方の端部キャップ２１４は、円筒状突起が適切な管又は継手に挿入されたときに封止されるように、Ｏリング２１６、２１８用の円筒状突起及び溝とともに成形することができる。または、端部キャップの成形過程において、ねじ付きインサートを用い、フィルタ要素を適切な管又は継手に取り付けるねじ部材を提供してもよい。
【００９６】
フィルタシステム３には、支持体アセンブリ２０９と、１つ以上のフィルタ要素２５４と、１つ以上のフィルタシールド２０８と、が含まれ得る。支持体アセンブリ２０９には、シールド支持体２２０と、回転フィルタ支持アーム２２２と、フィルタ容器出口２０５に接続される剛性管２２５、２２６と、が含まれ得る。図７に描写されている実施形態において、支持体アセンブリ２０９には、１対のシールド支持体２２０と、１対の回転フィルタ支持アーム２２２と、マニホールド２２５と、管２２６と、ねじ式コネクタ２２８と、ナット２３０と、面板２３２と、回転ブラケット２３４と、フィルタ容器出口２０５と、が含まれ得る。
【００９７】
回転フィルタ支持アーム２２２は、フィルタ動作位置とフィルタメンテナンス位置との間を回転することができる。フィルタ支持アーム２２２をフィルタ動作位置に回転させると、フィルタ容器とフィルタ容器の出口との間を水が連通する。フィルタ支持アーム２２２をフィルタメンテナンス位置に回転させると、フィルタ容器２００の水槽とフィルタ容器出口２０５との間の水の連通が防止される。これによって、フィルタ容器の水槽内のろ過されていない水が清浄な水流に加わること、及び再汚染を発生させることが防止される。一部の実施形態において、フィルタ容器は、動作のための最小水位を有し得る。これらの実施形態において、フィルタ動作位置は、フィルタ支持体入口が最小水位を下回るように構成され、そして、フィルタメンテナンス位置は、フィルタ支持体入口が最小水位を上回るように構成され得る。
【００９８】
フィルタ動作位置にあるフィルタ要素では、水は、フィルタ容器２００から、フィルタ要素の発泡体２１０、そして、フィルタ要素の端部キャップ２１４の制限オリフィス２１１を通って移動することができる。制限オリフィスによって、フィルタ３の水位の最高高さであっても、生物群集を通る流束は所定量を超えないことが保証され、これにより、生物群集の成長及び病原体の除去に利益をもたらすことができる。例えば、約１ｍｌ／分／ｃｍ2の流束を生成するように、システムを構成してもよい。代替の構成において、システムは、いかなる場所に、０．５ｍｌ／分／ｃｍ2〜５ｍｌ／分／ｃｍ2の流束を生成するように構成してもよい。水は、制限オリフィスから、回転フィルタ支持アーム２２２を通ってマニホールド２２５、管２２６に流れ、そしてフィルタ出口２０５から出ることができる。
【００９９】
マニホールド２２５は、発泡体カートリッジを９０度又は他の角度に回転させることができる。これによって、掃除、交換又は他のメンテナンスのために、発泡体カートリッジに容易に接近できる。また、これによって、ろ過されていない水（生物ろ過前のフィルタ容器水槽内の水）が、フィルタ容器の出口に到達して、次の処理段階に入ることも防止される。フィルタ支持ブラケット２３４には、回転支持アーム２２２の回転旋回(rotational pivoting)を補助する付加的な旋回支持を提供する旋回安定器２３５が含まれ得る。
【０１００】
具体的には、ろ過バッチの後、フィルタ容器２００の水位は、発泡体カートリッジに容易に接近が可能な水位２５２まで低下する。ユーザは、フィルタ容器２００の中に手を伸ばして、発泡体カートリッジを回転させることができる。発泡体カートリッジと回転フィルタ支持アーム２２２との嵌合は、ソケット嵌合であり得る。おそらく図９に最もよく示されているように、ソケットは、フィルタ要素が回転するときに、水面２５２から突き出ることができる。これによって、フィルタ容器２００の水槽内のろ過されていない水が、清浄な水流に流入して再汚染を発生させることを防止できる。
【０１０１】
シールド２０８は、発泡体カートリッジの上部に設けられ、水が処理のためにシステムに入るときに、先の容器又は入口から滴り落ちる飛沫によって撹乱されないように、成長した生物群集を保護することができる。本実施形態において、シールドは、透明でプラスチック製である。代替実施形態において、シールドは、異なる材料から製造され、非透明又は半透明であり得る。シールドは、支持体アセンブリ２０９に取り付けることができる。具体的には、シールド２０８の穴２４０は、シールド支持体上のディンプル２２１及びシールド２０８の穴２４０に摩擦嵌合することができる。シールドは、さらに、ガスケット２２４によってシールド支持体に支持及び固定され得る。
【０１０２】
おそらく図７に最もよく示されているように、シールドは、ほぼ円筒形であり、フィルタ要素の回転を容易にするように、一方の端部に２つの切欠部を有し得る。回転フィルタ支持アーム２２２は、口部２４２を通って嵌合し、フィルタブラケット２３４のフィルタ安定器は、他の口部２４０を通ってシールド支持体２２０のディンプルに接続している。シールドは、シールド支持体２２０との摩擦嵌合、又はコネクタによって、所定の位置に保持することができる。シールドは、フィルタ要素及びシールドの回転を容易にするように、一方の端部が先細になっていてもよい。シールドは、回転フィルタアーム２２２とともに回転するシールド支持体に固定されているため、ユーザは、フィルタ要素２５４又はシールド２０８を回転させることによって、フィルタ要素を容易に回転させることができる。
【０１０３】
フィルタ支持体アセンブリ２０９には、フィルタ要素２５４からフィルタ容器出口２０５へ水が連通するように連動する、ねじ式コネクタ２２８と、ナット２３０と、面板２３２と、ブラケット２３４と、フィルタ容器出口２０５と、が含まれ得る。ナット２３０及び面板２３２は、フィルタ容器の壁を挟み、フィルタ容器出口２０５をねじ式コネクタ２２８にねじ込むことによって所定の位置に固定される。フィルタ容器出口２０５は、フィルタ容器出口２０５からの干渉なしに、フィルタ容器２００が他の容器の内側に入れ子になることができるように、フィルタ容器２００の外側壁と比較的水平な面を提供する。フィルタ容器出口２０５は、インターフェイスであって、水処理システム構成部品を接続し、そしてフィルタ容器出口と構成部品との間を水が連通するインターフェイスを提供する。この接続については、以下に更に詳細に論じる。
【０１０４】
描写されている実施形態において、フィルタ容器２００を出た水は、塩素処理システム２０４に入る。
【０１０５】
ＩＩＩ．塩素処理
少なくとも１つの実施形態によれば、重力供給・水処理システムは、塩素処理過程を利用し、塩素を用いることにより水を消毒し、水中に存在し得る微生物を不活性化する。水処理用の塩素は、種々の供給源から得ることができ、例えば、水泳プール用途に一般に用いられる三塩素化イソシアヌル酸錠剤、次亜塩素酸カルシウム又は二塩素化イソシアヌル酸であってもよい。処理される水をタンク又は容器に注ぎ、そこに塩素を測定した用量で加える。フィルタを後で用いて、水から残留塩素を除去することによって、分配された処理水は、消費者にとって望ましくないと考えられる塩素の味がしない。水が塩素処理／脱塩素処理過程を経過した後には、飲食用に利用できる。
【０１０６】
次亜塩素酸カルシウムから製造される塩素錠剤は、一部の塩素処理システムの実施形態に用いることができる。このような錠剤は、通常、安定剤を含有しておらず、有益であるとも考えられている。ただし、安定剤がなければ、塩素の投入を制御することは困難な場合がある。カルシウム塩素錠剤は、水に濡れると水を吸収する傾向があり、また、崩壊する可能性があり、その結果、用量が不均一になることがある。
【０１０７】
本実施形態の塩素処理システム２０４は、安定剤、例えばカルシウム系の塩素錠剤を含まない塩素錠剤であっても、錠剤が消耗するまで、おおむね一貫した塩素量を放出することができる。安定していない塩素錠剤の一貫した用量は、水流中に１つ以上の円錐状先端を備えた塩素処理システム、水流から錠剤を保護し、カプセルの周りに水を均一に分布させる塩素カプセル、塩素カプセルの水平方向スロット、塩素錠剤のトラップ、及び塩素錠剤の下にあるテフロン（登録商標）スクリーンを構成することによって、実現することができる。描写されている実施形態の塩素処理システムは、水中の塩素濃度を６〜１０ｐｐｍにする。代替の構成では、塩素濃度を増減することができる。
【０１０８】
図１０は、本開示の一実施形態に係る塩素処理システム２０４の分解図を示している。塩素処理システムには、概して、塩素処理入口アセンブリ４５０と、塩素処理タンクアセンブリ４５２と、塩素処理カプセル４７０と、塩素処理出口４２８と、が含まれる。
【０１０９】
塩素処理入口アセンブリ４５０には、フィルタ容器出口２０５と接続する塩素処理入口インターフェイス４０２と、エルボコネクタ４０４と、塩素処理システム入口４０８と、支持体４０６と、が含まれている。エルボコネクタ４０４は、塩素処理入口インターフェイス４０２から塩素処理システム入口４０８に水を供給する。
【０１１０】
描写されている実施形態において、塩素処理入口４０８には、本体部分４２３と、流路指定部(routing portion)４２５と、円形支持体４１３と、が含まれる。本体部分４２３は、支持体４０６及びエルボコネクタ４０４と相互嵌合するような形状である。本体部分４２３には、塩素処理入口インターフェイス４０２からの水流のための口部４２７が含まれている。流路指定部４２５には、口部４２７から流れる水を保持する流路指定壁４０９が含まれている。また、流路指定部４２５には、水を塩素処理タンクアセンブリ４５２に落下させるようにする斜面４１１も含まれている。本実施形態において、穴４２７の高さは、フィルタ容器２００からの水流路の最大高さであり、このため、フィルタ容器２００及び塩素処理入口アセンブリ４５０の最小水位高さ２５２を設定する。
【０１１１】
塩素処理入口本体４２３には、１対の溝４７７であって、塩素処理入口アセンブリ４５０を所定の位置に固定するように、塩素処理タンクアセンブリの口部の縁４１９と接続する１対の溝が含まれている。溝４１７は、本体４２３のそれぞれの側面の突起４１７と円形支持体４１３との間の空間によって形成される。塩素処理入口４０８には、円形支持体４１３であって、塩素処理タンクアセンブリ４５２の内面に隣接するように配置され、そして、塩素処理入口アセンブリ４５０を固定する支持体を提供する円形支持体が含まれている。肘部支持体(elbow support)４０６にも、１対の溝４７８であって、塩素処理入口アセンブリ４５０を更に固定するように、塩素処理タンクアセンブリ４５２の口部の縁４１９と接続する１対の溝が含まれている。拡張部４２１はカバー４１２と接続し、肘部支持体が定位置にあるとき、更に支持をする。
【０１１２】
塩素処理タンクアセンブリ４５２には、キャップ４１０と、カバー４１２と、円錐状先端４１４と、基部４２６と、が含まれている。交換可能な塩素カプセルアセンブリ４７０は、塩素処理タンクアセンブリ４５２内に配置することができる。基部４２６とカバー４１２とキャップ４１０は、ともに連結して、塩素処理容器を形成することができる。円錐状先端４１４は、円錐状先端が水流路内に配置されるように、キャップ４１０と連結することができる。塩素処理入口アセンブリを出る水は、円錐状先端から塩素カプセルアセンブリ４７０の上面に滴下し得る。
【０１１３】
塩素カプセルアセンブリ４７０には、塩素カプセルキャップ４１６と、塩素錠剤トラップ４１８と、交換可能な塩素錠剤４２０と、テフロン（登録商標）スクリーン４２２と、塩素錠剤ホルダ４２４と、が含まれている。水は、円錐状先端４１４から塩素カプセルキャップ４１６の凹面に落下する。凹面が充填されるにつれて、塩素カプセルキャップ４１６の側面に水が均一に流出する。水が塩素処理基部４２４を充填すると、水は、水平方向スロット４３０を通って塩素処理カプセルに入る。最終的に、水位は、水が出口４７５を通って出てくる塩素処理基部４２４の側面を越えて上昇し、滝状に下降する。水が基部４２４の側面を越えて落下すると、水位は、突起４７２上に配置されているテフロン（登録商標）スクリーン４２２の底面に引き込まれるような状態になる。この構成では、テフロン（登録商標）スクリーン４２２は、塩素錠剤４２０へ水を吸い上げることによって、塩素錠剤に到達する水の量及び得られる塩素濃度を制御することができる。塩素処理システムを通る流速は、テフロン（登録商標）スクリーン４２２が塩素錠剤の底へ水を吸い上げ続けるようなものである。濃縮された塩素は水によって拡散し、最終的に、塩素が投入された水は、基部４２６の出口４７５を通って塩素処理出口４２８に出る。
【０１１４】
塩素錠剤ホルダ４２４には、テフロン（登録商標）スクリーン４２２が位置する複数の隆起縁４７２が含まれている。テフロン（登録商標）スクリーンは、塩素と水との接触を調節する。スクリーンの厚さは、１．４ｍｍ又は０．０５インチに最適化することができ、これによって、水中の塩素濃度を約６〜１０ｐｐｍにすることができる。水が塩素カプセル４７０に入り、テフロン（登録商標）スクリーンと接触すると、水が塩素錠剤へ吸い上げられ、その結果、塩素の一部が水溶液中に溶解する。
【０１１５】
カバー４１２は、水処理によって塩素錠剤が消耗された後に、ユーザが塩素錠剤に接近して交換することができるように、基部４２６に固定することができる。一実施形態において、塩素カプセルキャップ４１６を取り外し、塩素錠剤４２０を直接交換することができる。別の実施形態では、塩素カプセル４７０全体が交換可能である。
【０１１６】
ユーザが塩素錠剤４２０と直接相互作用することを防止するように、封止塩素カプセル４７０を設けることができる。例えば、塩素カプセルキャップ４１６は、音波溶接されていてもよいし、基部４２４に対して一方向にねじ切りされていてもよい。必要に応じて、開口部４３０を着脱可能に封止してもよい。封止された塩素カプセルの設計の別の利点は、安全な取り扱い、及び塩素錠剤の輸送規則のコンプライアンスを容易にすることである。このため、ばら積輸送時に特別な輸送実務及び規則が有効になり得る。個々に封止されたカプセル内に少量を包装することによって、危険性が大幅に軽減され、特別な輸送手続き及び規則の必要がなくなる。
【０１１７】
円錐状先端４１４及び塩素カプセル４７０の配置によって、未処理水が塩素錠剤に完全に暴露され、出口穴４７５を介して容器を出る前に、適切な用量を受け入れる可能性が高まる。塩素が細菌を破壊するのに有効なレベルで水中に溶解されるように、塩素処理システムを通る流速、吸い上げ材(wicking material)４２２を通る流速、及び塩素の拡散速度を設計することが望ましい。未処理水が十分に暴露されていない場合、タンク内の水は、細菌の水を効果的に除去するには、溶存塩素の割合が低すぎる。逆に、水が塩素に非常に多く暴露されている場合、細菌は処理されるが、脱塩素フィルタ（装備されている場合）の寿命は短くなり、また、フィルタを用いない場合には、処理水中の塩素濃度が高くなり、不満足な味となる。例えば、出口穴４７５は、凝集又はバイオフィルタタンクからの出口流れと速度を合わせるように配置されていてもよい。このような流速は、約３００〜１５００ｍｌ／分であり得る。水平方向スロット４３０及び出口４７５の数及びサイズは、所望の塩素濃度を達成するように構成されている。水平方向スロット４３０及び出口４７５は、水位が上昇してカプセルを囲むことを可能にするのに十分な流れ制限を提供する。同時に、水平方向スロット４３０及び出口４７５は、上流システムの流速を維持するように、十分な水を流出させることができる。
【０１１８】
図９は、組み立てられた塩素処理システム又は装置２０４を示している。塩素処理装置は、浮遊したり又はバケツの内側に取り付けられるのではなく、バケツの外側に取り付けられているため、ユーザは、水処理システムを撹乱することなく、又は汚れた水を処理する必要なく、塩素処理装置に接近することができる。さらに、塩素処理装置の一部は、内部が見えてもよく、これによって、ユーザは、塩素処理装置を開けるか又は接近することなく、どれくらいの塩素錠剤が残っているかを見ることができる。
【０１１９】
水は入口流れ管４０４から入り、塩素処理入口４０８の本体部分４２３の穴４２７を通って上昇する。そこから、水が棚４１１の上に滴り落ちるか又は落下し、円錐状先端４１４によって塩素カプセル４１６の上面にガイドされる。水はカプセル上に流出し、水流の一部は、塩素カプセル４７０の側壁４３０の水平方向スロットを通って塩素カプセルに入る。スロットに入る水は、スロットのサイズ及び形状によって調節される。スロットのサイズは、塩素投入の必要性に基づいて、製造時に調整することができる。通常、大型のスロット及び丸い縁によって、更に多くの水を塩素カプセル内に流入させることができる。通常、鋭い縁を備えた小型スロットによって、水がほとんど塩素カプセル内に流入しないようにすることができる。スロットは、塩素カプセルに出入する水を調節する。塩素カプセル４７０の内部を流れる水は、塩素錠剤４２０から溶存塩素を捕らえる。水は、最終的に、基部４２６の穴４７５を通って流出する。塩素処理タンクアセンブリ４５２の穴のサイズ及び空気の量は、流速を調節する。錠剤支持体４２４には、塩素錠剤を支持し、間隔を置いて配置された支持部材４７５が含まれている。このようにして、錠剤支持体は、塩素錠剤４２０の水への暴露を制御する。必要に応じて、塩素錠剤は、塩素カプセルの側面のスロットよりも上、下の高さに配置されるか、又は当該スロットと位置を合わせられてもよく、これによって、水と塩素錠剤との間の相互作用が変化する。さらに、必要に応じて、塩素カプセルの側面のスロットの位置、向き及び数を変更して、水と塩素錠剤との間の相互作用を変化させてもよい。錠剤支持体は、いつ塩素錠剤を交換するかを決定するように、ユーザが透明な窓を通して塩素錠剤が見える高さに位置決めもされる。必要に応じて、塩素カプセルの一部又はすべてを透明にして、塩素錠剤を見ることが可能であってもよい。
【０１２０】
ＩＶ．安全な水の貯蔵
図１１Ａ〜Ｄ、１２Ａ〜Ｂ、１３及び１４は、本開示の安全な貯水容器３００の一実施形態を示している。塩素処理システム２０４を出た水は、分配される前に残留塩素を除去するカーボンフィルタ３０６を含んだ安全な貯水バケツ３００に流れ得る。残留塩素は、水が安全な貯水バケツに存在している間に水中に残存し、二次汚染を防止することができる。
【０１２１】
安全な貯水容器には、フレーム３０８であって、安全な貯水容器内の水面にカーボンブロックが浮遊することを防止するフレームが含まれ得る。おそらく図１３の分解図に最もよく示されているように、フレーム３０８の底部には、カーボンフィルタの端部キャップを留めることができるＵ字形開口部３１０が含まれている。フレーム３０８には、フレームを安全な貯水容器の側壁から離すスペーサ３１７が含まれ得る。さらに、おそらく図１２Ａに最もよく示されているように、フレーム３０８の上部が蓋に接し、これによって、カーボンブロックの水平方向位置が固定される。
【０１２２】
タンク３００には、タンク内に存在する水に溶解した塩素を除去するカーボンフィルタ３０６も存在する。ブシュ３５６は、フィルタを蛇口又は弁３０４に接続することができ、Ｏリング３５８、３６０によってフィルタ及び蛇口に封止可能に接続することができる。フィルタ３０６には、２つの端部キャップ３１２、３１４と、フィルタ材３２１と、が含まれ得る。
【０１２３】
端部キャップ３１２、３１４は、例えば従来の射出成形によって、別々に製造され、セメント、接着剤又は他の方法によってカーボンフィルタ材に取り付けることができる。必要に応じて、ねじ付きインサートを端部キャップ３１４のうちの一方の成形過程に用いて、カーボンフィルタ３０６を適切な管又は継手に取り付けるねじ部材を設けてもよい。または、端部キャップ３１４は、Ｏリングの円筒状突起及び溝とともに成形して、円筒状突起が適切な管又は継手に挿入されるときに封止されてもよい。他方の端部キャップ３１２は、カーボンブロックをフレーム３０８上の所定の位置に保持することを促進する保持機構３１５とともに製造することができる。
【０１２４】
おそらく図１６に最もよく示されているように、フィルタ３０６は、フィルタ容器に示されているものと同様の構成によって、安全な貯水出口３５４に接続することができる。安全な貯水容器には、フィルタを出口に接続するコネクタアセンブリが含まれている。コネクタアセンブリには、フィルタ要素３０６から安全な貯水出口３５４へ水が連通するように連動する、ねじ式コネクタ３５０と、ナット３８０と、面板３８２と、安全な貯水出口３５４と、が含まれている。ナット３８０及び面板３８２は、フィルタ容器３００の壁を挟み、フィルタ容器出口２０５をねじ式コネクタ３５０にねじ込むことによって所定の位置に固定される。フィルタ容器出口３５４は、容器出口３５４からの干渉なしに、容器３００が他の容器の内側に入れ子になることができるように、容器３００の外側壁と比較的水平な面を提供する。安全な貯蔵容器出口３５４は、インターフェイスであって、水処理システム構成部品を接続し、そして出口３５４と構成部品との間を水が連通するインターフェイスを提供する。
【０１２５】
蛇口は、図１１Ａ〜Ｄ及び図１４に示されているように、コネクタ３５２を介して出口３５４に接続することができる。図１４を参照すると、出口３６４は、コネクタ３５２を収容し、封止された水流連通路を形成するような形状である。
【０１２６】
描写されている実施形態では、重力のみを用いて水がシステム内を流れる。安全な貯水容器から迅速な水の除去が望まれる場合、手動ポンプを用いて、カーボンフィルタ及び出口を通る流速を増加させることができる。
【０１２７】
一部の重力供給・水処理システムは、大きく、重く、そして比較的動かない。多くの重力供給・水処理システムは、流速と性能との間の兼ね合いを余儀なくされている。すなわち、より高い流速を有するためには、ろ過性能が犠牲になることがあるし、その逆も同様である。加圧配管なしで、そして電力なしで作動するが、加圧配管及び電力を用いるシステムのろ過及び流速性能に近似した水浄化を提供するシステムが望ましい。
【０１２８】
一実施形態において、水流を補助するポンプを備えた水処理システムは、加圧配管又は電力なしの、消毒、ろ過、化学吸着及び高流速を提供する。手動ポンプ３９０は、図１６に示されている。ユーザは、システムの出口に設置された手動により作動するピストンポンプを用いて、水システムから水を引き出すことができる。
【０１２９】
代替実施形態において、水流を活性化するように、種々の種類のポンプを用いることができる。例えば、図１７は、ハンドル３９８を用い出口３９６を介して手動ポンプを作動させるハイブリッドポンプ３９５を示している。または、蛇口３９７を開けて、重力によって水が流れるようにしてもよい。
【０１３０】
消費用タンクから水が引き出されると、水は、最初に、活性炭３０６の加圧ブロックを通る。必要に応じて、プリーツを付けたろ材をカーボンブロック上に設置して、大きな粒子をろ過し、カーボンブロックの目詰まりを防止してもよい。状況によっては、小住宅サイズのタンク（約５ガロン）の水頭圧は、水がフィルタブロック内を流れるのに十分ではない。したがって、手動により操作されるピストンポンプを設置することができる。ピストンポンプハンドル３９５が持ち上げられると、ポンプ３９５の本体内部のピストン（図示しない。）は、フィルタブロックの入口側の水圧と比較して、負の圧力差を発生させる。これによって、水がフィルタブロックを通って、フィルタ出口３５４に流入し、ポンプ３９５の本体内まで流入する。水がポンプ本体を通って吸い上げられると、水は、一方向ゴムフラップ弁を通過することができる。また、新しい水が本体内に引き込まれると、この水は、既に存在している水に置き換わることができる。置き換わった水は、ポンプの上部の水放出口３９６から流出し得る。ピストンの径及びストローク長は、システム設計者又はシステム設置者が、ストロークごとに所望の水流供給を達成するように調整する変数である。例えば、２秒のストローク持続時間及び１２６ｍｌのピストン容積の場合、３７８０ｍ（約１ガロン）／分の正味流速が達成され得る。
【０１３１】
Ｖ．着脱可能な水処理システムの構成部品
図１４及び１５は、種々の例示的な水処理システム構成部品がどのようにシステムから選択的に着脱可能であるかについて示している。これらの構成部品は、水処理システムとしての入れ子及び積み重ね容器を構成するように、所定の位置に取り付けることができる。また、これらの構成部品は、容器をその内部に互いに積み重ねてポータブル形態にすることができるように、入れ子及び積み重ね容器から取り外すこともできる。出口コネクタ３６４、２０５は、封止可能な水接続を形成するようにコネクタ３５２及び４０２を接続し、一方、入れ子及び積み重ね容器１００、２００、３００の入れ子を干渉しない、ほぼ平らな面も提供する。他の構成部品は、摩擦嵌めによって塩素処理出口４２８などを接続するにすぎず、容器３００の穴３６８に摩擦嵌めする。
【０１３２】
一実施形態において、出口コネクタ３６４、２０５及びシステムの他のコネクタは、改良されたフレンチクリート(French cleats)として構成することができる。すなわち、出口コネクタは、成形品に３０〜４５度の傾斜を提供することができ、この傾斜によって、コネクタに嵌合縁が切り込まれ、コネクタを成形品に引っ掛けるか又はその上に摺動させることができる。保持機構は、コネクタ周辺の種々の部分に設けられてもよく、この種々の部分は、出口コネクタと接続することによってコネクタを更に安定させて固定する。すなわち、保持機構は、出口コネクタの側面が摺動する溝として機能することができる。図１２Ａ〜Ｂの断面図は、出口コネクタ３６４と連結されたコネクタ３５２の一実施形態を示している。本実施形態において、安全な貯水出口３５４は、コネクタ３５２が接続する出口コネクタ３６４を形成する。
【０１３３】
ＶＩ．二容器式水処理システム
水処理システムの複数の代替実施形態、及び水処理システムの構成部品の種々の代替実施形態が、図１８〜３５に示されている。例えば、図１８は、水処理システム９００として連動する水処理システム構成部品を備えた２つの入れ子及び積み重ね容器を含む代替水処理システムの実施形態を示している。３つの容器による実施形態と同様に、水処理システム９００は、輸送形態と水処理システム形態との間で選択的に構成することができる。おそらく図１８の斜視図に最もよく示されているように、水処理システムの描写されている実施形態には、第１の容器１０００と、第２の容器２０００と蛇口３００４と、が含まれている。
【０１３４】
本発明の水処理システムは、種々の異なる代替実施形態を提供するように、種々の異なる構成部品によって構成することができる。例えば、水処理システム９００には、第１の容器から第２の容器に水を放出する、多数の異なる手動弁アセンブリが含まれていてもよい。図１９〜２５は、ボール弁を利用する、代替実施形態による手動弁アセンブリを示している。図２６〜３４は、傾斜部、ばね、及びエチレンプロピレンジエンモノマーゴム（ＥＰＤＭ）プラグを利用する、代替実施形態による手動弁アセンブリを示している。図１９及び２６は、代替実施形態によるフィルタシールド及び垂直方向支持体を示し、図３５は、バイオフォームフィルタの周りにあるカーボンスリーブを含む代替のフィルタ実施形態を示している。これらの代替水処理システム構成部品は、二容器式水処理システムに関して説明されているが、種々の構成部品を他の代替実施形態とともに利用できることが理解される。例えば、代替のシールド、代替の垂直方向支持体、及び代替の手動弁アセンブリを、前述した３つの容器による実施形態において実施することができる。
【０１３５】
二容器式水処理システム９００は、２段階水処理システム（凝集と生物ろ過）、又は４段階水処理システム（凝集、塩素処理、炭素ろ過及び生物ろ過）として構成することができる。凝集段階及び塩素処理段階は、存在する場合、第１の凝集／塩素処理容器１０００内で行うことができ、炭素ろ過段階（存在する場合）及び生物ろ過段階は、第２の炭素／生物ろ過容器２０００内で発生させることができる。本実施形態において、炭素／生物ろ過容器２０００は、安全な貯水タンクとして機能することもできる。３つの容器による実施形態とまさに同様に、入れ子及び積み重ね容器はそれぞれ、容器間の積み重ね及び水流を提供するように、付属の蓋１００２、２２０２を有し得る。
【０１３６】
４段階二容器式水処理システムの実施形態は、上述した４段階三容器式水処理システムの実施形態に対して、水処理の順序が変更されている。具体的には、バイオフォームろ過後の塩素処理ステップの代わりに、塩素処理は凝集と同時に行われる。さらに、凝集及び塩素処理の後に続く水路は、カーボンブロックを介して誘導され、これによって、水路がバイオフォームフィルタを介して誘導される前に、水から塩素が除去される。すなわち、この代替的な構成は、凝集及び塩素処理から炭素ろ過及びバイオフォームろ過という処理順序を提供する。この処理順序は、凝集／塩素処理容器１０００と、炭素／バイオフォームろ過容器２０００の、２つの容器によって行うことができ、これによって、水処理システムのコスト及び環境に及ぼす影響(footprint)を低減することができる。
【０１３７】
凝集段階は、本質的にあらゆる凝集方法を用いて行うことができる。例えば、凝集は、１種以上の凝集剤を用いて、凝集／塩素処理容器１０００内で行ってもよい。未処理水は凝集剤(flocculant(s))（凝集剤(coagulant(s))と称することもある。）と混合し、一定期間沈降させることができる。さらに、凝集を促進する方法は、２種の凝集剤が水への投入の間の所定の遅延時間で利用される、この二容器式水処理システムにおいて実施することができる。
【０１３８】
水が第２の容器２０００に放出される前に、水を消毒することができる。一実施形態では、塩素源、例えば、粉末形態の次亜塩素酸カルシウムを水に加えることができる。代替実施形態では、異なる塩素源又は他の消毒剤を利用して、所望の消毒剤用量を水に供給することができる。塩素は、凝集剤を水に加える前、それと同時に又はその直後に加えることができる。一部の実施形態において、約６〜８ｐｐｍの塩素濃度を提供するのに十分な塩素粉末を水に加える。塩素処理過程の目標接触時間は、約３０〜６０分である。
【０１３９】
塩素処理と凝集との組合せによって、水から所望の量のヒ素を除去することができる。塩素はＡｓ（ＩＩＩ）をＡｓ（Ｖ）に変換し、これは瞬間的に生じ得る。凝集過程は、相当量のＡｓ（Ｖ）を効果的に除去する。具体的には、一部の実施形態では、凝集段階時に９７％以上のＡｓ（Ｖ）を除去することができる。いったん凝集が完了すると、手動弁アセンブリを用いて、炭素及び生物ろ過水処理段階のために、水を炭素／バイオフォームろ過容器２０００に放出することができる。
【０１４０】
管、キャップ、肘部などの構成部品、及び他の構成部品は、ポリ塩化ビニル（ＰＶＣ）又は他の適切な材料から製造できることが理解される。
【０１４１】
図１９〜２５は、ボール弁１１１４を含む手動弁アセンブリ１１０１の一代替実施形態を示している。アセンブリ１１０１には、ハンドル１１０９が含まれている。図示されている実施形態において、ハンドルには、キャップ１３００、管１３０２及び肘部１３０４がともに圧入されている。
【０１４２】
ハンドル１１０９は、プラグアセンブリ１３１０を介して容器１０００に固定されたＴ字形継手１１０３を通って移動する部材１１０４に取り付けることができる。このＴ字形継手１１０３は、部材１１０４が自由に回転運動できるように穿孔されている。おそらく図２４に最もよく示されているように、ねじ１１０７は、Ｔ字形継手のポケット又はスロット１１１２、そして部材の穴１１０８を通る。Ｔ字形継手１１０３のねじ１１０７とスロット１１１２は、部材１１０４の回転の自由度を約９０度に制限するように連動する。
【０１４３】
部材１１０４の端部において、エルボ継手１１０５が部材に連結されている。おそらく図２５の分解図に最もよく示されているように、肘部１１０５には、ボール弁ハンドル１１１１と同じ形状の穴１１０６が隠れて設けられている(pocketed)。この隠れて設けられた継手１１０５は、ボール弁ハンドル１１１１を捕捉することができ、これによって、ハンドル１１０９の回転は、ボール弁１１１４を開閉するボール弁ハンドル１１１１の回転をもたらす。描写されている実施形態において、ナイロンねじ１１０７は、ボール弁ハンドル１１１１に過剰なトルクがかからないようにするために、Ｔ字形継手１１０３の溝１１１２内を移動する。
【０１４４】
ボール弁には、側面に作製されたスカラップカット１２０２とキャップ１２０４とを備えた管１２００が接続されている。フォームフィルタ１１０６は、スカラップカット管１２００の上に配置され、フロック状の汚染物質がシステムを更に通って誘導されることを防止又は低減する。いったんボール弁が開放されると、水は凝集容器の水槽からフィルタ１１０６を通ってスカラップカット管１２００に流れ、そして、雄アダプタ１２０１を通ってボール弁１１１４に流れ、継手１２０８を通って第１の容器を出る。描写されている実施形態において、継手１２０８には、雄アダプタ１３２０と、ガスケット１３２２と、ワッシャ１３２４と、キャップ１３２６と、が含まれる。穴１３２８は、水流速度を制御するように、特定の径においてキャップ１３２６に穿孔されるか、又は設けることができる。
【０１４５】
図２６〜３４は、傾斜部、ばね及びＥＰＤＭプラグを含む手動弁アセンブリ１５０１の、別の代替実施形態を示している。アセンブリ１５０１には、ハンドル１５０９が含まれている。図示されている実施形態において、ハンドルには、キャップ１３００、管１３０２及び肘部１５０４がともに圧入されている。ハンドル１５０９は、サドル継手１５０３にスナップ嵌めされる管１５０５に取り付けられている。このサドル継手１５０３は、管１５０５を静止状態に保つ。サドル継手１５０３は、容器壁１０００を介してねじ留めするガスケット及び継手１５１０により、容器１０００の側面に固定されている。
【０１４６】
ハンドル１５０９及び管１５０５はそれぞれ、それぞれの傾斜部１５０８、１５１０を形成する細部を有している。１／２インチロッド１５１２は、種々の高さに穿孔された２つの穴１５１４、１５１６を有している。ロッド１５１２は、ねじ付き取付具１５１８、ワッシャ１５２０、ばね１５２２を介して位置決めされ、ＥＰＤＭゴムプラグ１５２４は、ロッド１５１２の一方の端部に取り付けられている。ロッド１５１２、管１５１１及び肘部１５０４は、ピン１７００を介して連結されている。ピン１７００は、肘部１５０４の穴１５１５、管１５１１の貫通穴１５１６、及びロッド１５１２の貫通穴１５１４に挿入され、肘部１５０４の垂直方向の移動によって、ピン１７００を介する連結により、管１５１１及びロッド１５１２が垂直方向に移動する。ピン１７０２は、ロッド１５１２の穴１５１６に挿入され、ロッド１５１２の垂直方向の移動によって、ピン１７０２との相互作用を介してばね１５２２が圧縮される。
【０１４７】
ロッド１５１２は、管１５０８の内部を移動する。取付具１５２０、１５２２及び１５２４は、取付具１５１８の下を移動する。ワッシャ１５２０は、ばね１５２２とねじ付き取付具１５１８との間に摩擦軽減を提供する。管１５０８は、１／２インチロッド１５１２がアセンブリから移動しないように固定するねじ付き取付具１５１８を受け入れるように、内部にねじ込むことができる。ロッド１５１２の周りにあるＥＰＤＭゴムストッパ１５２４は、ハンドル１５０９が回転するまで、雄アダプタ１５２６に接触する（touching off）閉位置において、ばねが負荷される。ハンドル１５０９を回転させることによって、管１５０５及び肘部１５０４のそれぞれの傾斜部１５０８、１５１０は、ロッド１５１２をＥＰＤＭプラグ１５２４と垂直方向に接触させ、移動させて、これにより、ばね１５２２が圧縮する。この垂直方向の移動によって、ストッパ１５２４が雄アダプタ１５２６から外れ、水が通るバイパスを形成する。ハンドルが反対方向に回転すると、ゴムストッパ１５２４は雄アダプタ１５２６に再度嵌め込まれ、水の流れが停止する。弁の閉位置は図２８〜３０に描写され、弁の開位置は図３１〜３３に描写されている。
【０１４８】
Ｔ字体１５２８は、ねじ付き管１５０５及び管１５０６に圧入される。Ｔ字体１５２８には、側面に作製されたスカラップカット１６０２を備えた管１６００が接続されている。この管１６００は、キャップ１６０４をかぶせることができる。フォームフィルタ１１０６は、フロック状の汚染物質がシステムを更に通って移動することを防止するように、スカラップカット管１６００の上に配置することができる。いったんハンドル１５０９が回転すると、水は、スカラップ内を流れＴ字体１５２８を通過して、継手を通り容器を出る。容器を出る前の最後の継手には、ガスケット１５３０と、第２の容器２０００に特定の流量又は流速を提供するように特定の径まで穿孔された穴１５３４を備えるキャップ１５３２と、が含まれている。
【０１４９】
図１９と図２６による実施形態の両方において、水は重力によって次の容器２０００に流下する。描写されている実施形態において、第２の容器２０００は、２つのフォームフィルタ２２５４を有する。フォームフィルタは、おそらく図１９及び２６に最もよく描写されているように、シールド２２０８に成形されたプラスチック（ポリプロピレン）シートによって遮蔽されている。このシートは、レーザカットするか、ウォータージェットカットするか、ＣＮＣルータによって加工するか、又は他の方法によって成形することができる。このプラスチックシートは、２つの箇所において曲げて「Ｃ」形状を形成することができる。このシールド２２０８の特徴には、フィルタ２２５４が取り付けられている肘部２１０２の周りに取り付けられたスナップ細部２２１０が含まれ、また、このシールド２２０８は、フィルタ端部キャップ２２１２を捕捉する２つの穴２２１４も有し、フィルタの固定後部位置を形成し（フィルタが生物層に接触し撹乱しないようにし）、シールド２２０８は、後部の方へ延びるタブ２２１６を有し、このタブは、フィルタがこれらの付着を弱めて（backing out of their attachments）バイパス流路を形成しないようにする。また、シールド２２０８は、キャップ２３１０、雄アダプタ２３１２及び長い管２３１４から構成される垂直方向支持体２３０８も有している。キャップは、支持管に入った水が停滞できなくするように、その底部に穴を有し得る。
【０１５０】
ディスペンサーが作動すると、水は、第２の容器の水槽からフォームフィルタ２２５４、そして継手２２０９を通って、ディスペンサーアセンブリ２３０４の外に流れる。流れ制限器をディスペンサーアセンブリに又は水路の他の場所に配置して、フォームフィルタを通る特定の流速を確保し、フィルタ性能を高めることができる。輸送時には、ディスペンサーを取り外すことができ、二容器式システムを互いに入れ子にして積み重ねることができる。
【０１５１】
図１９及び２６に描写されている二容器式水処理システムの代替実施形態において、第２の容器は、水を分配する蛇口に接続するろ過システムを収容する。描写されているフィルタシステムは、三容器式水処理システムに関して説明したフィルタシステムとは異なり、図１９及び２６のフィルタは、フィルタ動作位置とフィルタメンテナンス位置との間を回転可能ではない。ただし、描写されているシステムは、前述した二容器式水処理システムから、その特徴又は他の特徴を組み込むように変更することができる（又はその逆も同様である。）。
【０１５２】
フォームフィルタは図１９及び２６に描写されているが、種々の交換可能なフィルタを代わりに利用することができる。例えば、凝集過程時に塩素粉末などの消毒剤を加える場合、ろ過システムには、２つの部分からなるフィルタが含まれていてもよく、フィルタの第１の部分には、塩素除去用の炭素などのフィルタ材料が含まれ、そして、フィルタの第２の部分には、生物ろ過用のバイオフォームなどの異なるフィルタ材料が含まれる。処理の順序を異なるようにし、そして２つの部分からなるフィルタを利用することによって、水がバイオフォームに到達する前に塩素を除去することができ、これによって、バイオフォームろ過の有効性を低下させることができる。加えて、この組合せフィルタによって、安全な貯水タンクを削除することができ、これにより、水処理システムのコスト及び環境に及ぼす影響を低減することができる。
【０１５３】
２つの部分からなるフィルタの一例は、フォームフィルタの周囲に配置されたカーボンスリーブである。２つの部分からなるフィルタのこのような実施形態の一例の断面図を図３５に示す。図示されているように、カーボンスリーブ３０００は、フォームフィルタ３００２及び支持コア３００４の周囲に設けられている。一部の実施形態において、フォームフィルタ３００２及び支持コア３００４は、フォームフィルタ２５４、２２５４と本質的に同一であり、すなわち、フォームフィルタ２５４、２２５４と本質的に同じ寸法及び特性を有する。主な相違は、カーボンスリーブが発泡体の周囲に配置され、発泡体に到達する前に塩素をろ過し、発泡材内及び／又は発泡材上に存在する生物体を破壊又は撹乱する可能性があることである。一実施形態において、カーボンスリーブは、厚さが１／２インチであり、２０×６０メッシュの粉末活性炭から製造される。描写されている実施形態において、カーボンスリーブの内径は、フォームフィルタの外径とほぼ同じである。
【０１５４】
描写されている実施形態は、半径流フィルタを利用するが、他の実施形態は、異なる種類のフィルタを実装することができる。水は、外側カーボンスリーブ３０００を通って半径方向に流れ、次いで、フォームフィルタ材３００２を半径方向に通って支持コア３００４に流れる。一実施形態において、カーボンスリーブは、凝集過程時に加えた塩素から残った残留塩素を除去するように機能する。１／２インチカーボンスリーブは、システムが１日約７ガロンの水又は１バッチを処理するという仮定に基づいて、１０年以上にわたって残留塩素を除去するのに有効であり得る。炭素量は、種々の変数に応じて、カーボンスリーブの有効寿命を変化させるように、変更することができる。カーボンスリーブの特性は、塩素が、カーボンスリーブの下にある発泡体層の表面に到達しないように選択することができる。これによって、微生物群集が依然として発泡体上及び／又は発泡体内で成長し、病原体の付加的な障壁として機能し得る。描写されている実施形態において、ろ過システムを通る水の流速は、フィルタカートリッジの出口ではなく、ディスペンサーにおいて調節される。
【０１５５】
上述の説明は、本発明の最新の実施形態の説明である。種々の改変及び変更は、均等論を含む特許法の原則に従って解釈される、添付の特許請求の範囲に規定されている本発明の真意及び広範な態様から逸脱することなく行うことができる。単数の要素に対するいかなる言及事項、例えば、冠詞「a」、「an」、「the」又は「said」を用いた言及事項も、その要素を単数に限定するものと解釈されるべきではない。
【図１Ａ】
2018519150.tif 000003
【図１Ｂ−１Ｃ】
2018519150.tif 000004
【図２】
2018519150.tif 000005
【図３Ａ】
2018519150.tif 000006
【図３Ｂ】
2018519150.tif 000007
【図４Ａ】
2018519150.tif 000008
【図４Ｂ】
2018519150.tif 000009
【図５Ａ】
2018519150.tif 000010
【図５Ｂ】
2018519150.tif 000011
【図６Ａ】
2018519150.tif 000012
【図６Ｂ】
2018519150.tif 000013
【図６Ｃ】
2018519150.tif 000014
【図６Ｄ】
2018519150.tif 000015
【図６Ｅ】
2018519150.tif 000016
【図７】
2018519150.tif 000017
【図８】
2018519150.tif 000018
【図９】
2018519150.tif 000019
【図１０】
2018519150.tif 000020
【図１１Ａ】
2018519150.tif 000021
【図１１Ｂ】
2018519150.tif 000022
【図１１Ｃ】
2018519150.tif 000023
【図１１Ｄ】
2018519150.tif 000024
【図１２Ａ】
2018519150.tif 000025
【図１２Ｂ】
2018519150.tif 000026
【図１３】
2018519150.tif 000027
【図１４】
2018519150.tif 000028
【図１５】
2018519150.tif 000029
【図１６】
2018519150.tif 000030
【図１７】
2018519150.tif 000031
【図１８】
2018519150.tif 000032
【図１９】
2018519150.tif 000033
【図２０】
2018519150.tif 000034
【図２１】
2018519150.tif 000035
【図２２】
2018519150.tif 000036
【図２３】
2018519150.tif 000037
【図２４】
2018519150.tif 000038
【図２５】
2018519150.tif 000039
【図２６】
2018519150.tif 000040
【図２７】
2018519150.tif 000041
【図２８】
2018519150.tif 000042
【図２９】
2018519150.tif 000043
【図３０】
2018519150.tif 000044
【図３１】
2018519150.tif 000045
【図３２】
2018519150.tif 000046
【図３３】
2018519150.tif 000047
【図３４】
2018519150.tif 000048
【図３５】
2018519150.tif 000049
【国際調査報告】
2018519150.tif 000050
2018519150.tif 000051
2018519150.tif 000052
2018519150.tif 000053
2018519150.tif 000054